(57)【要約】【課題】理美容鋏の一対の刃体である動刃をアール状に動作せしめて、毛髪の抵抗を受けずに毛髪のカットができるようにした。【解決手段】静刃の表面側から裏面側にかけて要ボルトを挿入する貫通孔を形成し、静刃の裏面側に貫通孔の近傍の峰部より静刃の柄部の底辺部方向に稍湾曲状に傾斜する細長形状の凹溝を形成し、動刃の表面側より裏面側に止着ナットが貫通し、止着ナットを誘導する動刃の刃先寄りの部位と動刃の柄部寄りの部位が稍下降する止着ナットを誘導可能な凹溝の径より大きい形状の長穴を形成し、動刃の表面側に前記長穴より径が大きい表面側凹部を形成し、動刃の裏面側に長穴より若干径が大きい裏面側凹部を形成し、動刃の柄部寄りの裏面側凹部の近傍に、静刃の凹溝に嵌挿する誘導ピンを突設した。【選択図】    図１
0003130866.tif 000002
【実用新案登録請求の範囲】
【請求項１】
２枚の刃体である動刃と静刃とを要ボルトと止着ナットを介して枢着せしめる理美容鋏において、
前記静刃の表面側から裏面側にかけて前記要ボルトを挿入する貫通孔を形成し、前記静刃の裏面側に前記貫通孔の近傍の峰部より前記静刃の柄部の底辺部方向に稍湾曲状に傾斜する細長形状の凹溝を形成し、他方動刃の表面側より裏面側に前記止着ナットが貫通し、且前記止着ナットを誘導する動刃の刃先寄りの部位と動刃の柄部寄りの部位が稍下降する前記止着ナットを誘導可能な前記凹溝の径より大きい形状の長穴を形成し、前記動刃の表面側に前記長穴より径が大きい表面側凹部を形成し、前記動刃の裏面側に前記長穴より若干径が大きい裏面側凹部を形成し、前記動刃の柄部寄りの裏面側凹部の近傍に、前記静刃の凹溝に嵌挿する誘導ピンを突設すると共に、前記静刃の凹溝内に前記動刃の誘導ピンを嵌挿し、前記動刃の長穴に前記止着ナットを前記止着ナットの頭部が前記表面側凹部に係止するようにして嵌挿し、前記要ボルトを前記貫通孔より嵌挿して前記止着ナットと螺着せしめ組立てることを特徴とする理美容鋏。
【請求項２】
前記揺動ピンの高さが、前記静刃の凹溝の深さより短く形成せしめることを特徴とする請求項１記載の理美容鋏。
【請求項３】
前記止着ナットの頭部が、前記静刃と動刃との組立て時において、前記動刃の表面より飛出しない形状とすることを特徴とする請求項１又は同２記載の理美容鋏。
【請求項４】
前記止着ナットの頭部の幅員が、前記動刃の表面側凹部の幅員より小さく形成することを特徴とする請求項１又は同２又は同３記載の理美容鋏。
【請求項５】
前記動刃の表面側に、表面側凹部より径が大きいキャップを嵌挿するキャップ嵌挿凹部を形成することを特徴とする請求項１又は同２又は同３又は同４記載の理美容鋏。
【考案の詳細な説明】
【技術分野】
【０００１】
本考案は、理美容鋏の技術分野に関するものである。
【背景技術】
【０００２】
従来、鋏（理美容）として、特開２０００−１２４７８公開特許公報が開示されているが、前記鋏を構成する静刃と動刃は、要ボルトと止着ナットとを介して締め付け枢着せしめている。
【０００３】
従って、前記両刃体の中、動刃が要ボルトと止着ナットとを基点に回動しながら毛髪をカットするものであった。
【０００４】
さらに、従来整髪用はさみとして、特開平８−２６６７５２号公開特許公報が開示されているが、前記整髪用はさみを構成する２枚の刃体（動刃１と静刃２）を要ネジを介して回動自在に枢着している。  
【０００５】
従って、前記両刃体の中、動刃が毛髪をカットするのに、要ボルトを基点にして回動しながらカットするものであった。
【０００６】
また、従来理美容鋏として、実開平５−５０７７号公開実用新案公報が開示されているが、前記理美容鋏を構成する一対の鋏構成部材４ａ、４ｂが、ボルト・ナット５で相対揺動自在に連結されている。  
【０００７】
従って、前記理美容鋏を構成する動刃に該当する鋏構成部材４ａが、前記ボルト・ナット４ａ、４ｂを基点に回動しながら毛髪をカットするものであった。
【０００８】
上記のとおり、前記した３件の開示の理美容鋏は、何れも両刃体（静刃と動刃）が、要ネジ等で枢着されており、動刃は前記枢着個所の要ネジ等を基点に、回動しながら毛髪カットがなされている。
【０００９】
そのため、両刃の中でも毛髪のカット時に頻繁に当る刃部の範囲が限定されるので、切れ味が短時間で阻害する原因になっている。
【００１０】
さらに、前記した従来開示の理美容鋏は、動刃の動きが前記要ネジの枢着個所を基点に回動する構造なので、前記両刃が毛髪のカット時に毛髪の抵抗を受け毛髪のカットをしにくくしていた。
【００１１】
また、前記した従来開示の理美容鋏は、要ネジ等の枢着部を基点に動刃が回動するので、カット時に当る刃部の範囲が限定され、刃部の摩耗度を早め、切れ味を不良にすることとも相乗して、両刃が毛髪のカット時に毛髪の抵抗を著しく受け、前記の切れ味を悪化する原因にもなっていた。
【特許文献１】特開２０００−１２４７８公開特許公報
【特許文献２】特開平８−２６６７５２１号公開特許公報
【特許文献３】実開平５−５０７７号公開実用新案公報
【考案の開示】
【考案が解決しようとする課題】
【００１２】
しかるに、本考案が解決しようとする課題は、理美容鋏を構成する一対の刃体である動刃をアール状に動作せしめて、毛髪の抵抗を受けずに毛髪のカットができるようにすると共に、前記のように毛髪の抵抗を受けずにカットを可能にして前記刃体の刃部の摩耗を従来の刃体の刃部の摩耗よりも著しく減少せしめた。
【００１３】
さらに本考案は、毛髪のカット時の切れ味を従来の刃体よりも長時間持続せしめるようにした。
【００１４】
そのため、本考案の理美容鋏は、両刃の刃部の研磨作業の回数を従来の理美容鋏に比し著しく減少せしめることができた。
【課題を解決するための手段】
【００１５】
課題を解決するための手段として、請求項１記載の考案は、２枚の刃体である動刃と静刃とを要ボルトと止着ナットを介して枢着せしめる理美容鋏において、
前記静刃の表面側から裏面側にかけて前記要ボルトを挿入する貫通孔を形成し、前記静刃の裏面側に前記貫通孔の近傍の峰部より前記静刃の柄部の底辺部方向に稍湾曲状に傾斜する細長形状の凹溝を形成し、他方動刃の表面側より裏面側に前記止着ナットが貫通し、且前記止着ナットを誘導する動刃の刃先寄りの部位と動刃の柄部寄りの部位が稍下降する前記止着ナットを誘導可能な前記凹溝の径より大きい形状の長穴を形成し、前記動刃の表面側に前記長穴より径が大きい表面側凹部を形成し、前記動刃の裏面側に前記長穴より若干径が大きい裏面側凹部を形成し、前記動刃の柄部寄りの裏面側凹部の近傍に、前記静刃の凹溝に嵌挿する誘導ピンを突設すると共に、前記静刃の凹溝内に前記動刃の誘導ピンを嵌挿し、前記動刃の長穴に前記止着ナットを前記止着ナットの頭部が前記表面側凹部に係止するようにして嵌挿し、前記要ボルトを前記貫通孔より嵌挿して前記止着ナットと螺着せしめ組立てることを特徴とする理美容鋏である。
【００１６】
請求項２記載の考案は、前記揺動ピンの高さが、前記静刃の凹溝の深さより短く形成せしめることを特徴とする請求項１記載の理美容鋏である。
【００１７】
請求項３記載の考案は、前記止着ナットの頭部が、前記静刃と動刃との組立て時において、前記動刃の表面より飛出しない形状とすることを特徴とする請求項１又は同２記載の理美容鋏である。
【００１８】
請求項４記載の考案は、前記止着ナットの頭部の幅員が、前記動刃の表面側凹部の幅員より小さく形成することを特徴とする請求項１又は同２又は同３記載の理美容鋏である。
【００１９】
請求項５記載の考案は、前記動刃の表面側に、表面側凹部より径が大きいキャップを嵌挿するキャップ嵌挿凹部を形成することを特徴とする請求項１又は同２又は同３又は同４記載の理美容鋏である。
【考案の効果】
【００２０】
請求項１記載の理美容鋏は、２枚の刃体である動刃と静刃とを要ボルトと止着ナットを介して枢着せしめる理美容鋏において、前記静刃の表面側から裏面側にかけて前記要ボルトを挿入する貫通孔を形成し、前記静刃の裏面側に前記貫通孔の近傍の峰部より前記静刃の柄部の底辺部方向に稍湾曲状に傾斜する細長形状の凹溝を形成し、他方動刃の表面側より裏面側に前記止着ナットが貫通し、且前記止着ナットを誘導する動刃の刃先寄りの部位と動刃の柄部寄りの部位が稍下降する前記止着ナットを誘導可能な前記凹溝の径より大きい形状の長穴を形成し、前記動刃の表面側に前記長穴より径が大きい表面側凹部を形成し、前記動刃の裏面側に前記長穴より若干径が大きい裏面側凹部を形成し、前記動刃の柄部寄りの裏面側凹部の近傍に、前記静刃の凹溝に嵌挿する誘導ピンを突設すると共に、前記静刃の凹溝内に前記動刃の誘導ピンを嵌挿し、前記動刃の長穴に前記止着ナットを前記止着ナットの頭部が前記表面側凹部に係止するようにして嵌挿し、前記要ボルトを前記貫通孔より嵌挿して前記止着ナットと螺着せしめ組立てる理美容鋏なので、動刃の動作が、毛髪を手前方向に引くような動きをし、そのため、毛髪の抵抗を受けることなくカットをすることができ切れ味を長時間持続できる。
【００２１】
さらに、本考案は、刃体の前記毛髪のカット時に刃部への当り面が長くなったので、刃部の摩耗も比例して減少した。そのため、刃体の研磨作業回数を減少し、作業性を著しく高めた。
【００２２】
また本考案は、刃体の刃部の摩耗を従来の鋏に比し節減せしめたので、研磨の回数を少なくし、そのため製品の寿命を著しく延長し、製品のグレードをも比例してアップせしめた。
【００２３】
請求項２記載の考案は、前記揺動ピンの高さが、前記静刃の凹溝の深さより短く形成せしめる理美容鋏なので、前記請求項１記載の考案と同じ効果を有している。
【００２４】
請求項３記載の考案は、前記止着ナットの頭部が、前記静刃と動刃との組立て時において、前記動刃の表面より飛出しない形状とする理美容鋏なので、前記請求項１又は同２記載の考案と同じ効果を有している。
【００２５】
請求項４記載の考案は、前記止着ナットの頭部の幅員が、前記動刃の表面側凹部の幅員より小さく形成する理美容鋏なので、前記請求項１又は同２又は同３記載の考案と同じ効果を有している。
【００２６】
請求項５記載の考案は、前記動刃の表面側に、表面側凹部より径が大きいキャップを嵌挿するキャップ嵌挿凹部を形成する理美容鋏なので、前記請求項１又は同２又は同３又は同４記載の考案と同じ効果を有している。
【００２７】
さらに、本考案は、毛髪カット時に毛髪が引掛ったりしない効果を有している。
【考案を実施するための最良の形態】
【００２８】
本考案の請求項１〜５記載の考案に関する実施形態は、共通しているので一括して以下のとおり説明する。
【００２９】
図面において、ａは本考案の理美容鋏を構成する静刃、ｂは前記静刃ａに対応する動刃である。前記両刃ａ、ｂは、以下の構成からなっている。
【００３０】
以下前記静刃ａの構成について説明する。１は表面側２から裏面側３にかけて形成の要ボルト４を挿入する貫通孔である。
【００３１】
５は静刃ａを構成する裏面側３の中、前記貫通孔１の近傍の峰部６より柄部７の底面部７ａ方向に傾斜する細長く、且稍湾曲状の凹溝である。そして前記凹溝５の幅員は、前記静刃ａの幅員よりも狭く、且同一の幅員を有している。
【００３２】
つぎに動刃ｂの構成を説明する。
【００３３】
この動刃ｂには、動刃ｂを構成する表面側９より裏面側１０にかけて前記静刃ａの貫通孔１に挿入する前記要ボルト４が螺着する止着ナット１１を貫通するための長穴８を形成する。
【００３４】
この長穴８は、前記止着ナット１１を貫通し、且前記止着ナット１１を誘導するものであり、動刃ｂを構成する刃先１２ａ寄りの部位と、柄部１３寄りの部位とが、同一幅員にして、且左サイド及び右サイドを稍湾曲状にふくらませ、且前記長穴８を構成する下方部８ｂを稍上方部８ａの方向にふくらませた下方ふくらみ部８ｃが形成される（図８）。
【００３５】
そして、前記長穴８は、前記止着ナット１１の嵌挿部１１ｂが嵌挿可能な形状とする。
【００３６】
さらに、本考案は、前記動刃ｂの表面側９に、前記長穴８より径が大きい表面側凹部１６を形成する。この凹部１６には、前記止着ナット１１の頭部１１ａが嵌り込んでいる。
【００３７】
また、本考案は、前記動刃ｂの裏面側１０に、前記長穴８よりも径が大きい毛逃げポットとして裏面側凹部１７を形成する。
【００３８】
１８は、前記動刃ｂの柄部７ｂ寄りの裏面側凹部１７の近傍に、突出状に形状する前記静刃ａの凹溝５に嵌挿する誘導ピンである。そして、前記ピン１８の突出部分の高さは、静刃ａと組合わされて密着摺動した際に、隙間ができないように静刃ａの凹溝５の深さより若干短く形成する。その理由は、前記誘導ピン１８が凹溝５内に挿入した際、前記凹５の深さより長いと両刃ａ、ｂが組立てられた際に密着せずに浮上り、間隙部が形成されて、毛髪のカットがスムーズにできないからである。
【００３９】
１１ａは前記要ボルト４と螺着し、前記動刃ｂの長穴８に貫通する止着ナット１１の頭部である。このナット１１の頭部１１ａの径は、前記表面側凹部１６の径より若干小さく、且動刃ｂの表面側より飛出しない形状をしている。さらに前記頭部１１ａと反対の挿入部１１ｃの内側には、要ボルト４のボルト部分が螺入する雌ネジ１９を形成する。
【００４０】
さらに本考案理美容鋏においては、キャップｃを使用する。
【００４１】
前記キャップｃは、動刃ｂの表面側９に形成の表面側凹部１６より径を大きく、且誘導ピン１８をも囲い込む大きさのキャップ嵌挿凹部１６ａ内に嵌挿しキャップせしめる。
【００４２】
そして、前記キャップｃの裏面部２２には、前記キャップ嵌挿凹部１６ａにキャップｃが嵌挿した際、前記誘導ピン１８に嵌挿する凹部２４付き突出部２３を形成する。
【００４３】
さらに、前記キャップ嵌挿凹部１６ａと前記キャップｃとの関係は、前記キャップ嵌挿凹部１６ａ内に前記キャップｃが嵌挿すると、前記突出部２３の凹部２４に前記誘導ピン１８が嵌挿し、且前記キャップｃの表面部２１が、前記動刃ｂの表面部９より若干飛出すか、もしくは同一面状となる。
【００４４】
前記キャップｃは、通常透明なプラスチック製である。
【００４５】
前記の構成からなる静刃ａと動刃ｂとを組立てるときは、動刃ｂ側方のピン１８を静刃ａ側の凹溝５に挿入せしめ、要ボルト４を貫通孔１に挿入する。前記のように挿入した要ボルト４のボルト部分を、静刃ｂの長穴８より挿入した止着ナット１１の雌ネジ１９と螺着する。そのとき止着ナット１１の頭部１１ａが、表面側凹部１６に嵌挿し動刃ｂの表面側９より飛出しない。
【００４６】
前記のように組立てられた静刃ａの表面側凹部１６より径が大きいキャップ嵌挿凹部１６ａに別設のキャップｃを嵌挿する。
【００４７】
そして前記キャップｃ凹部２４に誘導ピン１８が嵌挿し容易に離脱しない。
【００４８】
上記のように静刃ａと動刃ｂが組立てられて、両刃を最大限に展開すると、前記ピン１８が前記凹溝５内を誘導し、同時に固定状態の止着ナット１１の頭部１１ａが動刃ｂの表面側凹部１６の中、柄部７ａ寄りに移動し動刃ｂの展開をストップする。
【００４９】
つぎに、動刃６を毛髪をカットするように静刃ａの方向に動かすと、止着ナット１１の頭部１１ａが、刃先１２寄りの前記表面側凹部１６にスライドする。このスライド時が前記両刃ａ、ｂが閉じた状態である。そして同時に前記ピン１８は、静刃ａの柄部７寄りの凹溝５にスライドしている。
【００５０】
従って、動刃ｂが動刃ｂの長穴８内に嵌込んでいる止着ナット１１を基点にして、静刃ｂに対する展開角度が異なる毎に長くなったり、短くなったりする。
【００５１】
即ち、動刃ｂの静刃ａに対する展開角度が大きくなると、長くなったように見えるし、前記展開角度が漸次小さくなると長さが比例して短くなる。さらに前記止着ナット１１が刃先１２ａ寄りの前記長穴８と表面側凹部１６の左サイド部１４にスライドすると、静刃ａと動刃ｂの長さが同じになって、両刃ａ、ｂの刃先１２、１２ａが揃う構成である。
【００５２】
従って、前記動刃ｂが毛髪のカット時において、静刃ａとの展開角度を開いて大き目にした状態から、漸次展開角度を狭める際に、ピン１８が凹溝５に沿ってスライドする。そして動刃ｂは前記ピン１８がスライドすると同時に、止着ナット１１を基点にして長穴８に沿って動刃ｂが毛髪を手前方向に引くような動作をしながらカットする。この点が本考案の構造上の特長である。
【００５３】
従って本考案は、前記のように毛髪を引くようにカットするので、両刃ａ、ｂに抵抗がかからず切れ味は極めて良好である。
【００５４】
さらに、毛髪のカット時には、両刃ａ、ｂに抵抗がかからないので、両刃ａ、ｂの両刃ａ、ｂの刃部１２ｂ、１２ｃの摩耗は少ない。そのため刃部１２ｂ、１２ｃに対する研磨回数は少なくしてすむ利点がある。
【００５５】
２０、２０ａは指環である。
【図面の簡単な説明】
【００５６】
【図１】本考案理美容鋏の正面図である。
【００５７】
【図２】同背面図である。
【００５８】
【図３】図１のＡ―Ａ線拡大縦断面図である。
【００５９】
【図４】図２のＢ−Ｂ線拡大縦断面図である。
【００６０】
【図５】図１の鋏を若干展開した状態の正面図である。
【００６１】
【図６】同両刃を全開せしめた状態の正面図である。
【００６２】
【図７】図６の鋏の背面図である。
【００６３】
【図８】同動刃の一部拡大正面図である。
【００６４】
【図９】図８の動刃の背面図である。
【００６５】
【図１０】同静刃の一部切欠拡大背面図である。
【符号の説明】
【００６６】
ａ        静刃
ｂ        動刃
ｃ        キャップ
１        貫通孔
２        表面側
３        裏面側
４        要ボルト
５        凹溝
６        峰部
７        柄部
７ａ      底辺部
７ｂ      柄部
８        長穴
８ａ      上方部
８ｂ      下方部
８ｃ      ふくらみ部
９        表面側
１０      裏面側
１１      止着ナット
１１ａ    頭部
１１ｂ    嵌挿部
１１ｃ    挿入部
１２      刃先
１２ａ    刃先
１２ｂ    刃部
１２ｃ    刃部
１４      左サイド部
１５      右サイド部
１６      表面側凹部
１７      裏面側凹部
１８      ピン
１９      雌ネジ
２０      指環
２０ａ    指環
２１      表面部
２２      裏面部
２３      突出部
２４      凹部
【図１】
0003130866.tif 000003
【図２】
0003130866.tif 000004
【図３】
0003130866.tif 000005
【図４】
0003130866.tif 000006
【図５】
0003130866.tif 000007
【図６】
0003130866.tif 000008
【図７】
0003130866.tif 000009
【図８】
0003130866.tif 000010
【図９】
0003130866.tif 000011
【図１０】
0003130866.tif 000012